(57)【要約】【課題】個々の用紙削減機能で削減された用紙枚数を正確に認知するように構成される画像形成装置を提供する。【解決手段】用紙に画像を形成する画像形成装置において、画像形成に使用する用紙を削減する用紙削減手段と、この用紙削減手段で削除された用紙枚数を計数する用紙枚数計数手段とを備えた。用紙削減手段は、画像形成済み片面用紙を収納する裏紙収納トレイ７に収納されている用紙に画像形成を行うトレイ７、或いは１枚の用紙両面に２ページ分の画像を画像形成するプロッタ８である。【選択図】図１
2008040031.tif 000002
【特許請求の範囲】
【請求項１】
用紙に画像を形成する画像形成装置において、画像形成に使用する用紙を削減する用紙削減手段と、該用紙削減手段で削除された用紙枚数を計数する用紙枚数計数手段とを備えたことを特徴とする画像形成装置。
【請求項２】
前記用紙削減手段は、画像形成済み片面用紙を収納する裏紙収納トレイに収納されている用紙に画像形成を行う画像形成手段であることを特徴とする請求項１に記載の画像形成装置。
【請求項３】
前記用紙削減手段は、１枚の用紙両面に２ページ分の画像を画像形成する両面印刷手段であることを特徴とする請求項１に記載の画像形成装置。
【請求項４】
前記用紙削減手段は、画像を所定の倍率に縮小し、等倍時の半サイズの用紙に画像形成を行う画像形成手段であることを特徴とする請求項１に記載の画像形成装置。
【請求項５】
前記用紙削減手段は、画像を所定の倍率に縮小し、縮小された複数枚の画像を用紙の片面に画像形成する集約印刷手段であることを特徴とする請求項１に記載の画像形成装置。
【請求項６】
前記用紙削減手段を複数備え、前記用紙枚数計数手段は、前記複数の用紙削減手段で削減された用紙枚数の計数を行うことを特徴とする請求項１乃至５の何れか１項記載の画像形成装置。
【発明の詳細な説明】
【技術分野】
【０００１】
本発明は、画像形成に使用する用紙を制御する、デジタル複写機、ファクシミリ、プリンタ、もしくはこれらが複合されてなる画像形成装置に関するものである。
【背景技術】
【０００２】
近年、コピー機に代表される画像形成装置は多くの紙を消費するため、紙の消費量削減に対するニーズが高い。このようなニーズから、紙の消費量を抑える機能が画像形成装置に対して提案されている（例えば、特許文献１乃至５参照）。
しかし、従来、画像形成モードに応じたカウンタは存在するが、削減された用紙枚数を計数するカウンタが無く、削減効果のあった用紙枚数が判らなかった。用紙削減に対して効果がある機能を探し、探し出された機能のカウンタ、例えば、両面印刷枚数カウンタなどから、削減された用紙枚数を画像形成装置管理者が計算して求めたりしていた。（特許文献１乃至特許文献５）
【特許文献１】特開２００４−７４５３０公報
【特許文献２】特開２００５−１９５７２５公報
【特許文献３】特開２００５−８４１６４公報
【特許文献４】特開２００４−３２５４９０公報
【特許文献５】特開２００５−１５３２２６公報
【発明の開示】
【発明が解決しようとする課題】
【０００３】
しかしながら、前述した従来技術によっても、両面印刷カウンタ等からは削減された正確な用紙枚数は分からない。例えば、原稿１枚を両面印刷設定でコピーすると、両面印刷カウンタはカウントアップしても、用紙削減にはならないので、両面印刷カウンタなどから正確な用紙削減枚数を知る方法が無かった。
そこで、本発明の目的は、上述した実情を考慮して、個々の用紙削減機能で削減された用紙枚数を正確に認知するように構成される画像形成装置を提供することにある。
【課題を解決するための手段】
【０００４】
上記の課題を解決するために、請求項１に記載の発明は、用紙に画像を形成する画像形成装置において、画像形成に使用する用紙を削減する用紙削減手段と、該用紙削減手段で削除された用紙枚数を計数する用紙枚数計数手段とを備えたことを特徴とする。
また請求項２に記載の発明は、前記用紙削減手段は、画像形成済み片面用紙を収納する裏紙収納トレイに収納されている用紙に画像形成を行う画像形成手段である請求項１に記載の画像形成装置を特徴とする。
また請求項３に記載の発明は、前記用紙削減手段は１枚の用紙両面に２ページ分の画像を画像形成する両面印刷手段である請求項１に記載の画像形成装置を特徴とする。
また請求項４に記載の発明は、前記用紙削減手段は、画像を所定の倍率に縮小し、等倍時の半サイズの用紙に画像形成を行う画像形成手段である請求項１に記載の画像形成装置を特徴とする。
また請求項５に記載の発明は、前記用紙削減手段は、画像を所定の倍率に縮小し、縮小された複数枚の画像を用紙の片面に画像形成する集約印刷手段である請求項１に記載の画像形成装置を特徴とする。
また請求項６に記載の発明は、前記用紙削減手段を複数備え、前記用紙枚数計数手段は、前記複数の用紙削減手段で削減された用紙枚数の計数を行う請求項１乃至５のいずれか１項記載の画像形成装置を特徴とする。
【発明の効果】
【０００５】
本発明によれば、画像形成に使用する用紙を削減する用紙削減手段と、この用紙削減手段で削除された用紙枚数を計数する用紙枚数計数手段とを備えることによって、用紙削減効果が把握できるので、自然環境保護効果が把握できるようになる。
【発明を実施するための最良の形態】
【０００６】
以下、図面を参照して、本発明の実施の形態を詳細に説明する。図１は本発明の実施の形態に係る画像形成装置のシステム構成を示すブロック図である。図２は図１のスキャナの主要構成を示すブロック図である。図３は図１のエンジンＡＳＩＣの主要構成を示すブロック図である。図４は図１のプロッタの主要構成を示すブロック図である。図５は図１のコントローラＡＳＩＣの主要構成を示すブロック図である。
図１乃至図５を参照して、本実施の形態に係る画像形成装置Ａのシステム構成は、例えば、図１に示すように、画像形成を行うエンジン部１と、画像形成装置全体の制御を行うコントローラ２とを汎用バスであるＰＣＩ（周辺機器相互接続）バス３で接続した構成からなる。
画像形成処理で使用されるハードウェア資源であるエンジン部１は、原稿を所定のタイミングで、スキャナ４に給送するＡＤＦ（自動原稿搬送装置）５、原稿を読み取るスキャナ４、画像処理、ＣＰＵＩ／Ｆ、ＰＣＩＩ／Ｆ等を内蔵するエンジンＡＳＩＣ（用途特定ＩＣ）６、用紙を収納するトレイ７、用紙に画像を形成するプロッタ８、用紙送りなどエンジン部１を制御するエンジンＣＰＵ（中央処理ユニット）９、図示しないが各種カウンタ値を保持する不揮発性メモリ等から構成されている。
コントローラ２は、画像形成装置の処理・動作設定を行う操作部１０、操作部Ｉ／Ｆ、ＣＰＵＩ／Ｆ、ＰＣＩＩ／Ｆ、メモリコントローラ等を内蔵するコントローラＡＳＩＣ１１、画像形成装置全体の制御を行うＣＰＵ１２、システムのワークエリア、スタック、及び画像メモリとなるメモリ１３、画像データを蓄積するＨＤＤ（ハードディスクドライブ）１４等から構成されている。
【０００７】
操作部１０は、図示はしてないが、画像形成動作開始を指示するプリントスタートキー、複写枚数などを設定するときに使用するテンキー、デジタル複写機が備える機能、例えば２ｉｎ１機能などを設定する装置機能設定キーや、設定された機能、データなどを表示する液晶タッチパネルなどを備えている。また液晶画面を切り換えることで画像形成装置内部の情報、カウンタ値を確認することができる。
ＡＤＦ５は、セットされた原稿のサイズを検知するためのセンサ類を備え、検知した原稿サイズデータをＣＰＵ９に送信し、このＣＰＵ９のコマンドに従い、セットされた原稿を所定のタイミングで、読み取りガラス（図示せず）に原稿を給送し、所定のタイミングでこの原稿を排紙する。
トレイ７は、例えば、Ａ４横の用紙を収納する用紙トレイと、Ａ３の用紙を収納する用紙トレイ、両面印刷用に使用する画像形成済み片面用紙を収納する両面トレイと、裏紙を収納する裏紙収納トレイを備え、ＣＰＵ９からの制御信号により、これらの用紙トレイに収納されている用紙をプロッタ８に給送する。
【０００８】
図１のスキャナ４の構成は、図２に示すように、図示されていないランプで原稿に光を照射し、この反射光を図示されていないミラー群、フィルタ、レンズを介して光電変換するＣＣＤ１５と、光電変換された信号をＡ／Ｄ変換するＡ／Ｄ変換部１６と、ランプ、ミラー、レンズ、ＣＣＤ１５に起因する信号劣化を補正するシェーディング補正部１７等から構成されている。
図１で示したエンジンＡＳＩＣ６の構成は、図３に示すように、スキャナ４で読み取られた多値の画像データを変倍時発生するモアレ等を除去するフィルタ部１８と、変倍設定時、所定の変倍処理を施す変倍ユニット１９と、例えば、４ｘ４ブロック単位で固定長圧縮する圧縮部２０とを含んでいる。
また、エンジンＡＳＩＣ６は、ＰＣＩ３のバスプロトコルを実行する部分及びＤＭＡＣとからなりかつ画像データをコントローラ２に転送するＰＣＩユニット２１と、メモリ１３に蓄積されている圧縮部２０で圧縮されたデータを伸張する伸張部２２と、変倍ユニット１９で変倍処理された画像データをプロッタエンジン特性に合わせるためのγ補正部２３と、動作モードに合った階調処理を行う階調処理部２４と、エンジンＣＰＵ９と接続されるＣＰＵＩ／Ｆ２５等から構成されている。
【０００９】
なお、エンジンＡＳＩＣ６の各ユニットは図示しないが、ＣＰＵＩ／Ｆ２５を介してエンジンＣＰＵ９から設定される。ＰＣＩユニット２１は、コントローラ２からのコマンドをエンジン部１に伝えるユニットでもある。
また、フィルタ部１８は、操作部１０で設定される文字／写真などの動作モード、縮小／拡大の変倍設定に応じて、エッジを強調するようなフィルタ係数、絵柄部を滑らかに再現するようなフィルタ係数、縮小時、細線が消えないように平滑化するようなフィルタ係数に切り換えられるユニットである。
【００１０】
図１で示したプロッタ８の構成は、図４に示すように、階調処理されたデータに応じてプロッタエンジンに書き込むＬＤユニット２６と、ここでは図示しないＬＤユニット２６で書き込まれた静電潜像を担持する感光体ユニットと、トナーにより顕像化する現像ユニットと、顕像化された画像を用紙に転写する転写ユニットと、トレイ７から搬送されてくる用紙に転写された画像を溶融定着させる定着ユニット等から構成されている。
図１に示したコントローラＡＳＩＣ１１の構成は、図５に示すように、画像形成装置全体を制御するコントローラＣＰＵ１２と接続されるＣＰＵＩ／Ｆ２７と、ＨＤＤ１４と接続されるＨＤＤＩ／Ｆ２８と、ＰＣＩユニット２９と、アービタ３０と、メモリコントローラ３１と、操作部１０と接続される操作部Ｉ／Ｆ３２とを含んでいる。
コントローラＡＳＩＣ１１の各ユニットは図示しないが、ＣＰＵＩ／Ｆ２７を介してコントローラＣＰＵ１２から設定される。ＨＤＤＩ／Ｆ２８は、メモリ１３へデータを書き込んだり、読み込んだりするユニットである。
ＰＣＩユニット２９は、ＰＣＩのバスプロトコルを実行する部分とＤＭＡＣからなり、メモリ１３にある画像データをエンジン部１に転送したり、コントローラ２からのコマンドをエンジン部１に伝えるユニットである。アービタ３０は、メモリ１３をアクセスするデバイスの調停を行うユニットである。
【００１１】
以下、図１を参照して用紙削減カウンタの動作説明を行うが、説明を簡潔にするために、用紙サイズはＡ３とＡ４に限定して行う。先ず、裏紙収納トレイに収納された用紙にコピーを行う例を説明する。
裏紙収納トレイ（トレイ）７に予め、画像形成済み片面用紙をセットし、原稿をＡＤＦ５にセットする。操作部１０から裏紙収納トレイを選択して部数設定を行い、スタートキーを押下する。すると、ＡＤＦ５は、セットされた全原稿を１ページ目から順次、読み取りガラス（図示せず）上に給送し、スキャナ４が、これら原稿画像を順次読み取り、所定の処理が施された画像データはＰＣＩバス３を経由して、メモリ１３に順次記憶される。
メモリ１３に画像データが少し書き込まれた時点で、かつプロット動作がスキャン動作を追い越さないようなタイミングでプロッタ８を起動する。画像データは、ＰＣＩバス３を経由してエンジン部１で所定の処理が施され、プロッタ８に出力される。
プロッタ８に出力された画像データで感光体ユニットに静電潜像を形成し、トナーにより顕像化して、トレイ７から搬送されてくる裏紙用紙にトナー画像を転写する。熱により溶融定着されたトナー画像を有する裏紙用紙が、機外に排出される。
【００１２】
図６は裏紙用紙コピーによる用紙削減カウント動作を説明するフローチャートである。図６に示すように、裏紙印刷による用紙削減カウントは、先ず、裏紙給紙トレイが選択されているか判断し（Ｓ１）、用紙サイズがＡ３かＡ４か判断し（Ｓ２）、Ａ３サイズの場合は、裏紙使用によるＡ３用紙削減カウンタ（Ａ３ＵＲＡ）をプラス１にする（Ｓ３）。
ステップＳ２で用紙サイズがＡ４と判断された場合は、裏紙使用によるＡ４用紙削減カウンタ（Ａ４ＵＲＡ）をプラス１にする（Ｓ４）。これらのカウンタ値（Ａ３ＵＲＡ、Ａ４ＵＲＡ）は、電源をオフしても消去されない不揮発性メモリに保存される。
ユーザは操作部１０を介して、あるいは図示していないネットワークに接続されているＰＣ（パーソナルコンピュータ）を介して上記カウンタ値（Ａ３ＵＲＡ、Ａ４ＵＲＡ）を確認することにより、裏紙用紙使用により削減された用紙枚数を知ることができる。このように、裏紙使用により削減された用紙枚数が把握できるので、裏紙使用による自然環境保護効果が把握できるようになる。
【００１３】
次に、両面コピーを行う例を説明する。図１を参照して、原稿をＡＤＦ５にセットし、操作部１０から両面コピーを選択して部数設定を行い、スタートキーを押下すると、ＡＤＦ５は、セットされた全原稿を１ページ目から順次、読み取りガラス（図示せず）上に給送する。
スキャナ４が、これら原稿画像を順次読み取り、所定の処理が施された画像データはＰＣＩバス３を経由して、メモリ１３に順次記憶される。メモリ１３に画像データが少し書き込まれた時点で、かつプロット動作がスキャン動作を追い越さないようなタイミングでプロッタ８を起動し、画像データは、ＰＣＩバス３を経由してエンジン部１で所定の処理が施され、プロッタ８に出力される。
プロッタ８に出力された画像データで感光体ユニットに静電潜像を形成し、トナーにより顕像化して、トレイ７から搬送されてくる用紙に表面のトナー画像を転写する。熱により溶融定着されたトナー画像を有する用紙は、再び、トレイ７の両面トレイに搬送される。
次に、用紙裏面に対する画像データがメモリ１３から読み出され、所定のタイミングで、両面トレイから片面画像形成終了後の用紙を搬送し、表面同様に画像データを用紙裏面に溶融定着し、用紙は機外に排出される。
【００１４】
図７は両面コピーによる用紙削減カウント動作を説明するフローチャートである。両面コピー（印刷）による用紙削減カウント動作は、先ず、両面コピーが選択されているか判断し（Ｓ１１）、裏面に対する画像形成動作かを判断し（Ｓ１２）、次いで、用紙サイズがＡ３かＡ４か判断する（Ｓ１３）。
ステップＳ１３においてＡ３サイズの場合で、裏面の場合は両面コピーによるＡ３用紙削減カウンタ（Ａ３ＤＢＬ）をプラス１にする（Ｓ１４）。ステップＳ１３で表面と判断された場合は、カウントアップは行われない。
ステップＳ１３で用紙サイズがＡ４と判断された場合は、裏面に対する画像形成動作かを判断し（Ｓ１５）、ステップＳ１２で裏面の場合は両面コピーによるＡ４用紙削減カウンタ（Ａ４ＤＢＬ）をプラス１にする。ステップＳ１５で表面と判断された場合は、カウントアップは行われない。
これらのカウンタ値（Ａ３ＤＢＬ、Ａ４ＤＢＬ）は、電源をオフしても消去されない不揮発性メモリに保存される。ユーザは操作部１０を介して、あるいは図示していないネットワークに接続されているＰＣを介して上記カウンタ値（Ａ３ＤＢＬ、Ａ４ＤＢＬ）を確認することにより、両面印刷により削減された用紙枚数を知ることができ、両面印刷による自然環境保護効果が把握できるようになる。
【００１５】
次に、Ａ３→Ａ４用紙サイズ指定変倍コピーを行う例を説明する。図１を参照して、原稿をＡＤＦ５にセットし、操作部１０からＡ３→Ａ４用紙サイズ指定変倍コピーを選択して部数設定を行い、スタートキーを押下する。
これにより、ＡＤＦ５は、セットされた全原稿を１ページ目から順次、読み取りガラス（図示せず）上に給送し、スキャナ４が、これら原稿画像を順次読み取り、Ａ３→Ａ４サイズ縮小などの所定の処理が施された画像データはＰＣＩバス３を経由して、メモリ１３に順次記憶される。
メモリ１３に画像データが少し書き込まれた時点で、かつプロット動作がスキャン動作を追い越さないようなタイミングでプロッタ８を起動する。この場合に、画像データは、ＰＣＩバス３を経由してエンジン部１で所定の処理が施されかつプロッタ８に出力される。
プロッタ８に出力された画像データによって感光体ユニットに静電潜像を形成し、トナーにより顕像化して、トレイ７から搬送されてくるＡ４サイズの用紙にトナー画像を転写する。このトナー画像を転写された用紙は熱により溶融定着され、機外に排出される。
【００１６】
図８はＡ３→Ａ４用紙サイズ指定変倍コピーによる用紙削減カウント動作を示すフローチャートである。半サイズ用紙による用紙削減カウントは、先ず、Ａ３→Ａ４用紙サイズ指定変倍コピー（印刷）が選択されているか判断し（Ｓ２１）、Ａ３→Ａ４用紙サイズ指定変倍コピーが選択されている場合は、Ａ３→Ａ４用紙サイズ指定変倍コピーによるＡ４用紙削減カウンタ（Ａ４ＨＡＦ）をプラス１にする（Ｓ２２）。
カウンタ値（Ａ４ＨＡＦ）は、電源をオフしても消去されない不揮発性メモリに保存される。ユーザは操作部１０を介して、あるいは図示していないネットワークに接続されているＰＣを介して上記カウンタ値（Ａ４ＨＡＦ）を確認することにより、半サイズ用紙使用により削減された用紙枚数を知ることができる。
このように、等倍時の半サイズの用紙を使用することにより削減された用紙枚数が把握できるので、半サイズ用紙使用による自然環境保護効果が把握できるようになる。
【００１７】
次に、集約コピーを行う例を説明する。図１を参照して、原稿をＡＤＦ５にセットし、操作部１０からＭｉｎ１の集約コピーを選択して部数設定を行う。Ｍは、例えば２、４、８とする。操作部１０のスタートキーを押下すると、ＡＤＦ５は、セットされた全原稿を１ページ目から順次、読み取りガラス（図示せず）上に給送し、スキャナ４が、これら原稿画像を順次読み取り、所定サイズに縮小処理が施された画像データはＰＣＩバス３を経由して、メモリ１３に順次記憶される。
メモリ１３に縮小された画像データが用紙１面分の画像となった時点でプロッタ８を起動し、用紙１面分の画像データは、ＰＣＩバス３を経由してエンジン部１で所定の処理が施され、プロッタ８に出力される。この画像データによって感光体ユニット（図示せず）に静電潜像を形成し、この静電潜像をトナーにより顕像化して、トレイ７から搬送されてくる用紙にトナー画像を転写し、この用紙上のトナー画像を熱により溶融定着し、用紙を機外に排出する。
【００１８】
図９は集約コピーによる用紙削減カウント動作を説明するフローチャートである。図９において、集約コピー（印刷）による用紙削減カウント動作は、先ず、集約コピーが選択されているか判断し（Ｓ３１）、読み取り原稿枚数カウンタＮ（初期値０）を読み取り原稿枚数に応じてカウントアップする（Ｓ３２）。
次いで、用紙サイズがＡ３かＡ４か判断し（Ｓ３３）、Ａ３サイズの場合には、集約コピーによるＡ３用紙削減カウンタ（Ａ３ＳＹＫ）を以下の計算式に示す値に変更する（Ｓ３４）。
Ａ３ＳＹＫ＝Ａ３ＳＹＫ＋Ｎ−ＩＮＴ（（Ｎ＋Ｍ−１）／Ｍ）
ここで、Ｘを自然数とすると、ＩＮＴ（Ｘ）は、Ｘを超えない最大の整数である。
ＡＤＦ５（図１）にセットされた原稿が読み取られ、ジョブ終了かどうかを判断し（Ｓ３５）、ジョブが終了ならば、Ｎを初期値「０」にし（Ｓ３６）、次のジョブに備える。
【００１９】
ステップＳ３５でＡＤＦ５に原稿がまだある場合、次の原稿読み取りが行われると、ステップＳ３２でＮのカウントアップが行われる。ステップＳ３３で用紙サイズがＡ４と判断された場合は、集約コピーによるＡ４用紙削減カウンタ（Ａ４ＳＹＫ）を以下の計算式に示す値に変更する（Ｓ３７）。
Ａ４ＳＹＫ＝Ａ４ＳＹＫ＋Ｎ−ＩＮＴ（（Ｎ＋Ｍ−１）／Ｍ）
ここで、Ｘを自然数とすると、ＩＮＴ（Ｘ）は、Ｘを超えない最大の整数である。
ステップＳ３５でＡＤＦ５に原稿がまだある場合、次の原稿読み取りが行われると、ステップＳ３２でＮのカウントアップが行われる。カウンタ値（Ａ３ＳＹＫ、Ａ４ＳＹＫ）は、電源をオフしても消去されない不揮発性メモリに保存される。
ユーザは操作部１０を介して、あるいは図示していないネットワークに接続されているＰＣを介して上記カウンタ値（Ａ３ＳＹＫ、Ａ４ＳＹＫ）を確認することにより、半サイズ用紙使用により削減された用紙枚数を知ることができる。
集約印刷により削減された用紙枚数が把握できるので、集約印刷による自然環境保護効果が把握できるようになる。
【００２０】
図１０は機器全体での用紙削減カウント動作を説明するフローチャートである。複数機能が組み合わされて用紙枚数が削減される場合も、使用されるそれぞれの用紙削減カウンタが動作し、図１０のステップＳ４１に示すように削減された用紙サイズ毎に用紙削減カウンタ値を足し合わせることにより、機器全体での用紙削減効果を確認することができる。
機器で削減されたＡ４サイズの全用紙枚数Ａ４ＴＡＬは、以下により求められる。
Ａ４ＴＡＬ＝Ａ４ＵＲＡ＋Ａ４ＤＢＬ＋Ａ４ＨＡＦ＋Ａ４ＳＹＫ
機器で削減されたＡ３サイズの全用紙枚数Ａ３ＴＡＬは、以下により求められる。
Ａ３ＴＡＬ＝Ａ３ＵＲＡ＋Ａ３ＤＢＬ＋Ａ３ＳＹＫ
カウンタ値（Ａ３ＴＡＬ、Ａ４ＴＡＬ）は、電源をオフしても消去されない不揮発性メモリに保存される。ユーザは操作部１０を介して、あるいは図示していないネットワークに接続されているＰＣを介して上記カウンタ値（Ａ３ＴＡＬ、Ａ４ＴＡＬ）を確認することにより、画像形成装置全体で削減された用紙枚数を知ることができ、機器全体の自然環境保護効果が把握できるようになる。
【図面の簡単な説明】
【００２１】
【図１】本発明の実施の形態に係る画像形成装置のシステム構成を示すブロック図である。
【図２】図１のスキャナの主要構成を示すブロック図である。
【図３】図１のエンジンＡＳＩＣの主要構成を示すブロック図である。
【図４】図１のプロッタの主要構成を示すブロック図である。
【図５】図１のコントローラＡＳＩＣの主要構成を示すブロック図である。
【図６】裏紙用紙コピーによる用紙削減カウント動作を説明するフローチャートである。
【図７】両面コピーによる用紙削減カウント動作を説明するフローチャートである。
【図８】Ａ３→Ａ４用紙サイズ指定変倍コピーによる用紙削減カウント動作を示すフローチャートである。
【図９】集約コピーによる用紙削減カウント動作を説明するフローチャートである。
【図１０】機器全体での用紙削減カウント動作を説明するフローチャートである。
【符号の説明】
【００２２】
Ａ  画像形成装置、１  画像形成エンジン部、２  コントローラ、４  スキャナ、５  ＡＤＦ（自動原稿搬送装置）、６  エンジンＡＳＩＣ、７  トレイ、８  プロッタ、９  ＣＰＵ、１０  操作部、１１  コントローラＡＳＩＣ、１２  ＣＰＵ、１３  メモリ、１９  変倍ユニット、２０  圧縮部
【図１】
2008040031.tif 000003
【図２】
2008040031.tif 000004
【図３】
2008040031.tif 000005
【図４】
2008040031.tif 000006
【図５】
2008040031.tif 000007
【図６】
2008040031.tif 000008
【図７】
2008040031.tif 000009
【図８】
2008040031.tif 000010
【図９】
2008040031.tif 000011
【図１０】
2008040031.tif 000012